(57)【要約】      （修正有）【課題】キッチン吊戸棚の下部空間に小物部材を収める収納スペースと仮置きスペースを新たに確保することができ、使用しないときは小物部材を隠蔽状に収納することで、キッチンのイメージと衛生面を向上させることができる多段式の棚装置を提供する。【解決手段】キッチン吊戸棚５の下部に固定する収納ケース７と、上段棚部材８及び下段棚部材９とからなり、前記収納ケース７に上段棚部材８を、上部平行リンク１０で水平回動できるように取付け、前記上段棚部材８に下段棚部材９を水平回動できるように下部平行リンク１１を用いて取付け、前記上段棚部材８と下段棚部材９が同調して水平回動するように上部平行リンク１０と下部平行リンク１１を歯車２０で連動している。【選択図】図１
2008110153.tif 000002
【特許請求の範囲】
【請求項１】
下面が開放する収納ケースと、この収納ケースの内部に納まる大きさに形成された上段棚部材と、前記収納ケースの下面開口を閉鎖することができるように形成された下段棚部材とからなり、前記収納ケースに上段棚部材を、上部平行リンクでこの収納ケース内に収まる状態から収納ケースの下部に位置する間を水平回動できるように取付け、前記上段棚部材に下段棚部材を、上段棚部材の下部で水平回動できるように下部平行リンクを用いて取付け、前記上段棚部材と下段棚部材が同調して水平回動するように上部平行リンクと下部平行リンクを連動した多段式の棚装置。
【請求項２】
上記収納ケースと上部平行リンクの間に、上段棚部材と下段棚部材の水平回動時の押し上げ操作力を軽減する吊り合い部材を設けた請求項１に記載の多段式の棚装置。
【発明の詳細な説明】
【技術分野】
【０００１】
この発明は、キッチン吊戸棚の下部空間を有効に利用し、流し台等の上部に調理や料理等に関与する小物部材の収納スペースと仮置スペースを同時に確保することができるようにした多段式の棚装置に関する。
【背景技術】
【０００２】
例えば、キッチン吊戸棚は、システムキッチンの上部壁面等に固定配置され、その内部に比較的大きな調理器具等を収納するものである。
【０００３】
調理の準備や料理を盛り付ける場合、各種調理器具と共に調味料等が必要であり、また、出来上がった料理は皿等の器に盛り付けることになるため、システムキッチンの調理台の上や流し台の周辺にこれら調理器具や調味料、器等（以下小物部材という）を置くためのスペースを確保しなければならない。
【０００４】
従来、小物部材を置くためのスペースの確保は、システムキッチンの調理台や流し台のワークトップの上面を単に利用する以外に、キッチン吊戸棚の下面に別の棚を吊り下げたり、下面から出し入れできる収納台を上下動可能に設けたキッチン吊戸棚を用いる方法が提案されている（特許文献１参照）。
【特許文献１】特開平１１−１０３９５３号公報
【発明の開示】
【発明が解決しようとする課題】
【０００５】
ところで、システムキッチンに関しては狭くて片付かないという悩みがあり、特に、調理台、流し台の上や別に吊り下げた棚に小物部材を常時並べて載置した状態は、見た目に雑然となって不体裁でキッチンのイメージを低下させるだけでなく、小物部材が埃をかぶることになり、衛生的にも好ましくない。
【０００６】
また、料理を盛り付ける小物部材をシステムキッチンの上に並べて仮置きすれば、システムキッチン上のスペースが取られ、その後の作業に支障をきたすことになる。
【０００７】
更に、キッチン吊戸棚に下面から出し入れできる収納台を設けた構造では、単にキッチン吊戸棚の収納スペースを必要時に下に移動させるだけのことになり、新たな収納スペースの確保にならないという問題がある。
【０００８】
そこで、この発明の課題は、キッチン吊戸棚の下部空間に着目し、この空間に小物部材を収める収納スペースと仮置きスペースを新たに確保することができると共に、使用しないときは小物部材を隠蔽状に収納することで、キッチンのイメージと衛生面を向上させることができ、しかも、調理台上の作業スペースを有効に使用することができる多段式の棚装置を提供することにある。
【課題を解決するための手段】
【０００９】
上記の課題を解決するため、この発明は、下面が開放する収納ケースと、この収納ケースの内部に納まる大きさに形成された上段棚部材と、前記収納ケースの下面開口を閉鎖することができるように形成された下段棚部材とからなり、前記収納ケースに上段棚部材を、上部平行リンクでこの収納ケース内に収まる状態から収納ケースの下部に位置する間を水平回動できるように取付け、前記上段棚部材に下段棚部材を、上段棚部材の下部で水平回動できるように下部平行リンクを用いて取付け、前記上段棚部材と下段棚部材が同調して水平回動するように上部平行リンクと下部平行リンクを連動した構成を採用したものである。
【００１０】
上記収納ケースと上部平行リンクの間に、上段棚部材と下段棚部材の水平回動時の押し上げ操作力を軽減する吊り合い部材を設けた構造とすることができる。
【００１１】
ここで、上記収納ケースは、下面が開放する横長に形成され、キッチン吊り戸棚の下部に取付けられ、上記上段棚部材は、水平の底板と垂直の背板からなる断面Ｌ形で両端に側板を有し、収納ケース内に納まる長さと高さになっており、上記下段棚部材は、収納ケースの下面開口を閉鎖することのできる平面的な大きさに形成されている。
【００１２】
上記上部平行リンクは、二本のリンクの一端を収納ケースの側面で後部上方の位置に枢止して前後方向に揺動自在となり、この上部平行リンクの他端に上段棚部材の側板を枢止し、上段棚部材は上部平行リンクの作用により、水平姿勢のままで上下に回動自在となる。
【００１３】
上段棚部材は、上昇位置にあるとき、収納ケース内の前半部に収まり、この上段棚部材上に載置した小物部材を外部から見えないように隠蔽状に収納し、また、下降位置にあるときは、収納ケースの下部で後方に位置し、小物部材の出し入れが行えることになる。
【００１４】
上記下部平行リンクは、二本のリンクの一端を上段棚部材の側板に枢止して前後方向に揺動自在となり、この下部平行リンクの他端に下段棚部材のブラケットを枢止し、下段棚部材は下部平行リンクの作用により、水平姿勢のままで上下に回動自在となる。
【００１５】
下段棚部材は、上昇位置にあるとき、収納ケース内の下面開口を閉鎖し、また、下降位置にあるときは、上段棚部材の下部に位置し、小物部材の仮置きが行えることになる。
【００１６】
上記上部平行リンクと下部平行リンクは、後方に位置するリンクにおいて、上段棚部材の側板に枢止した端部に、互いに噛み合う歯車を設け、後方に位置する上下のリンクを互いに屈伸動するよう連動している。
【００１７】
このような上下のリンクの連動により、上昇位置にある下段棚部材を引き下げると、上下のリンクは伸長動し、収納ケースに対して上段棚部材が回動して下降し、上段棚部材に対して下段棚部材が回動しながら下降し、また、下降位置にある下段棚部材を押し上げると、上下のリンクは屈曲動し、収納ケースに対して上段棚部材が回動して上昇し、上段棚部材に対して下段棚部材が回動しながら上昇することになり、上段棚部材と下段棚部材は何れの場合も水平姿勢のままで昇降することになる。
【００１８】
上記吊り合い部材は、ガススプリングを用い、収納ケース内の前部に一端を取付けたガススプリングの他端を、上部平行リンクの前部リンクの一端に設けた屈曲片に枢止連結し、下段棚部材の押し上げ時にガススプリングの伸長で上部平行リンクに上方への回動力を付与することで、下段棚部材の押し上げ力を軽くなるようにしている。
【発明の効果】
【００１９】
この発明によると、収納ケースの下部に上段棚部材と下段棚部材を、平行リンクでこの収納ケース内に収まる状態から収納ケースの下部に位置する間を水平回動できるように取付けたので、調理台の上部壁面等に固定配置されたキッチン吊戸棚の下部空間を有効に利用して、小物部材を収める収納スペースと仮置きスペースを新たに確保することができ、使用しないときは上段棚部材で小物部材を隠蔽状に収納し、下段棚部材で収納ケースの下面開口を閉鎖することで、キッチンの狭い、片付かないというイメージを払拭でき、キッチンの美観向上を図ることができる。
【００２０】
また、上段棚部材で小物部材を隠蔽状に収納することで、小物部材に対する衛生面を向上させることができ、かつ、下段棚部材によって調理の準備や料理の盛り付けのための仮置きスペースを確保することで、調理台等のワークトップ上を広く使えるようになり、作業効率を向上させることができる。
【００２１】
更に、上段棚部材が水平状態で昇降することで、載置した小物部材から調味料等の液体や粉体がこぼれることがなく、また、キッチン吊戸棚の下部空間に位置する上段棚部材と下段棚部材は目線の高さになり、小物部材や仮置き物の出し入れ作業が円滑に行えることになる。
【発明を実施するための最良の形態】
【００２２】
以下、この発明の実施の形態を図示例に基づいて説明する。
【００２３】
図３と図４のように、システムキッチン１は、シンクを備えた流し台２と調理台３、コンロ台４等が並べて設けられ、このシステムキッチン１の後部壁面で上方位置にキッチン吊り戸棚５が配置され、この発明の多段式の棚装置６は、例えば、流し台２の上方に位置するキッチン吊り戸棚５の下部に取付けられる。
【００２４】
多段式の棚装置６は、図１乃至図３のように、キッチン吊り戸棚５の下部に固定される下面が開放する収納ケース７と、この収納ケース７の内部に納まる大きさに形成された上段棚部材８と、前記収納ケース７の下面開口を閉鎖することができるように形成された下段棚部材９とを備えている。
【００２５】
上記収納ケース７に対して上段棚部材８は、両側の端部に設けた上部平行リンク１０で、この収納ケース７内に収まる状態から収納ケース７の下部に位置する間を水平回動できるように取付け、前記上段棚部材８に対して下段棚部材９は、上段棚部材８の下部で水平回動できるように、両側の端部に設けた下部平行リンク１１を用いて取付け、前記上段棚部材８と下段棚部材９が同調して水平回動するように、上部平行リンク１０と下部平行リンク１１を連動し、上記収納ケース７と上部平行リンク１０の間に、上段棚部材８と下段棚部材９の水平回動時の押し上げ操作力を軽減する吊り合い部材１２が設けられている。
【００２６】
上記収納ケース７は、下面が開放する横長の箱状に形成され、キッチン吊り戸棚５の下部に設けた周枠１３の内部に上半部分を嵌め込んだ状態で固定され、この収納ケース７の前部は半透明のような照明灯の収納部１４になっている。
【００２７】
上記上段棚部材８は、水平の底板８ａと垂直の背板８ｂからなる断面Ｌ形で両端に側板８ｃを有し、収納ケース７内に納まる長さと高さになっており、また、上記下段棚部材９は、収納ケース７の下面開口を閉鎖することのできるフラットな水平板９ａの後部両端に上向きのブラケット９ｂを備え、水平板９ａの前縁に昇降操作用の手掛かり把手１５を設けて形成されている。
【００２８】
上記上部平行リンク１０は、間隔をおいて平行する略等しい長さを有する二本のリンク１０ａ、１０ｂの一端（上端）を、水平状態で互いに干渉しないように、上下に少し段差を設けて収納ケース７の側壁で後部上方の位置にピン１６、１６で枢止し、このピン１６、１６を支点に前後方向に揺動自在となっている。
【００２９】
この上部平行リンク１０の他端（下端）に上段棚部材８の側板８ｃをピン１７、１７で枢止し、上段棚部材８は上部平行リンク１０の作用により、水平姿勢のままで上下に回動自在となり、上昇位置では収納ケース７内の前半部分に全体が納まり、下降位置では、収納ケース７の下部で後方に位置し、小物部材ａの出し入れが行えることになる。
【００３０】
上記下部平行リンク１１は、間隔をおいて平行する略等しい長さを有する二本のリンク１１ａと１１ｂの一端（上端）を、水平状態で互いに干渉しないように、上下に少し段差を設けて上段棚部材８の側板８ｃに、前後方向に揺動自在となるようピン１８、１８で枢止し、この下部平行リンク１１の他端（下端）に下段棚部材９のブラケット９ｂをピン１９、１９で枢止し、下段棚部材９は下部平行リンク１１の作用により、水平姿勢のままで上下に回動するようになっている。
【００３１】
下段棚部材９は、上昇位置にあるとき、収納ケース７の下部に重なって収納ケース７内の下面開口を閉鎖し、また、下降位置にあるときは、上段棚部材８の下部に間隔をおいて、下部平行リンク１１で吊り下げられて水平状態で位置し、小物部材ａの仮置きが行えることになる。なお、収納ケース７の下面開口を閉鎖した下段棚部材９の上昇位置は、図示省略したが、マグネットキャッチ等を用いて保持するようにすればよい。
【００３２】
上記上部平行リンク１０と下部平行リンク１１は、後方に位置するリンク１０ｂと１１ｂにおいて、上段棚部材８の側板８ｃにピン１７、１８で枢止した端部に、回転方向に対して互いに噛み合う歯車２０、２０を設け、後方に位置する上下のリンク１０ｂと１１ｂを互いに屈伸動するよう連動している。
【００３３】
このような上下のリンク１０ｂと１１ｂの連動により、上段棚部材８と下段棚部材９の上下動は連動することになり、上昇位置にある下段棚部材９を引き下げると、上下のリンク１０ｂと１１ｂは伸長動し、収納ケース７に対して上段棚部材８が回動して下降し、上段棚部材８に対して下段棚部材９が回動しながら下降する。
【００３４】
また、下降位置にある下段棚部材９を押し上げると、上下のリンク１０ｂと１１ｂは屈曲動し、収納ケース７に対して上段棚部材８が回動して上昇し、上段棚部材８に対して下段棚部材９が回動しながら上昇することになり、上段棚部材８と下段棚部材９は何れの場合も水平姿勢のままで昇降することになる。
【００３５】
上記吊り合い部材１２は、上段棚部材８と下段棚部材９の重量に見合う程度の圧力を有するガススプリングを用い、収納ケース７内の前部にピン２１でシリンダの一端を取付け、ピストンロッドの先端を、上部平行リンク１０の前部リンク１０ａの一端に設けた屈曲片２２にピン２３で枢止連結し、下段棚部材９の押し上げ時にガススプリングが伸長し、上部平行リンク１０に上方への回動力を付与することで、下段棚部材９の押し上げ力を軽くなるようにしている。
【００３６】
この発明の多段式の棚装置６は、上記のような構成であり、流し台２の上方に位置するキッチン吊り戸棚５の下部に収納ケース７を取付け、使用しない時は、図２のように、この収納ケース７の内部に上段棚部材８を収納して下段棚部材９で下面開口を閉鎖し、上部平行リンク１０と下部平行リンク１１、吊り合い部材１２は略水平状態で、収納ケース７の内部両端に収まっている。ちなみに、多段式の棚装置６は、下段棚部材９で下面開口を閉鎖した状態で、収納ケース７の上面から下段棚部材９の下面までの上下寸法は、１５０ｍｍ前後の寸法に設定されている。
【００３７】
このとき、上段棚部材８上に載置した小物部材ａは、収納ケース７の内部に外部から隠蔽状に収納されることで、小物部材ａに対する衛生面を向上させることができる。
【００３８】
調理や料理の時に多段式の棚装置６を使用するときは、下段棚部材９の前縁に設けた把手１５でこの下段棚部材９を引き下げると、上段棚部材８と下段棚部材９は上下の平行リンク１０、１１の作用で水平状態のまま同時に回動下降する。
【００３９】
具体的には、下段棚部材９を引き下げると、下部平行リンク１１が上段棚部材８への枢止点を支点に前方へ回動することで下段棚部材９は水平に下降し、下部平行リンク１１のリンク１１ｂと一対の歯車２０、２０で連動した上部平行リンク１０のリンク１０ｂが収納ケース７への枢止点を支点に後方下向きに回動することになり、これによって上段棚部材８は水平に下降する。
【００４０】
従って、下段棚部材９を下降限位置にまで引き下げると、図１と図３のように、収納ケース７の下に上段棚部材８とこの上段棚部材８の下部に下段棚部材９が引き出され、図３（ｂ）のごとく、上段棚部材８と下段棚部材９は調理者の略目線の高さ位置となり、上段棚部材８に対する小物部材ａの出し入れが円滑に行える。
【００４１】
また、下段棚部材９は、調理に使う小物部材ａや器等を仮置きすることで、調理の準備や料理の盛り付けのためのスペースを確保することができ、調理台３のワークトップ上にこれらを置く必要がなくなり、図４の上半に示すように、調理台３のワークトップ上に小物部材ａを載置した場合に比べ、図４の下半に示すように、上段棚部材８と下段棚部材９に小物部材ａを収納すれば、調理台３のワークトップが広々と使えることで小間口のシステムキッチン１でも作業効率がアップする。
【００４２】
上段棚部材８と下段棚部材９を収納ケース７に格納するときは、下段棚部材９から仮置きした載置物を取り除き、この下段棚部材９を押し上げるようにすればよく、上下の平行リンク１０と１１が引き下げ時と逆動作をすることで、上段棚部材８と下段棚部材９は水平姿勢の状態で接近しながら上昇し、上段棚部材８は収納ケース７内に収まり、下段棚部材９が収納ケース７の下面開口を閉鎖した状態に戻ることになる。
【００４３】
上記のように、上段棚部材８は上部平行リンク１０の作用で水平状態のまま昇降するので、こぼれる危惧のある液体調味料等の収納も可能になる。
【図面の簡単な説明】
【００４４】
【図１】この発明に係る多段式の棚装置の上段棚部材と下段棚部材を引き下げた状態を示す縦断側面図
【図２】この発明に係る多段式の棚装置の上段棚部材と下段棚部材を格納した状態を示す縦断側面図
【図３】（ａ）はこの発明に係る多段式の棚装置の上段棚部材と下段棚部材を引き下げた状態を示す斜視図、（ｂ）は同側面図
【図４】調理台のワークトップにおける作業面積の対比をするための図面であり、上半部はシステムキッチンの調理台上に小物部材を載置した状態の平面図、下半部はこの発明に係る多段式の棚装置を用いて小物部材を収納したシステムキッチンの平面図
【符号の説明】
【００４５】
１          システムキッチン
２          流し台
３          調理台
４          コンロ台
５          キッチン吊り戸棚
６          多段式の棚装置
７          収納ケース
８          上段棚部材
９          下段棚部材
１０        上部平行リンク
１１        下部平行リンク
１２        吊り合い部材
１３        周枠
１４        照明灯の収納部
１５        把手
１６        ピン
１７        ピン
１８        ピン
１９        ピン
２０        歯車
２１        ピン
２２        屈曲片
２３        ピン
【図１】
2008110153.tif 000003
【図２】
2008110153.tif 000004
【図３】
2008110153.tif 000005
【図４】
2008110153.tif 000006